(57)【要約】【課題】機械室レスエレベータにおけるロープ伸びの調整を円滑に行うことを可能とするとともに容易に設置できるエレベータのロープ伸び調整装置を提供する。【解決手段】本発明によれば、ロープ端固定部１１を構成し、昇降路１下方に向けて位置調整可能としたため、昇降路１頂部までの寸法の限られた機械室レスエレベータにおいても、その調整代を十分に確保できる。さらに、前記ロープ端固定部１１は、通常配設物のない制御盤２０の垂直方向投影面上に位置するよう配設したため、他の昇降路内機器に干渉することなくその固定エリアを確保し容易に配設することができる。【選択図】        図１
2004331264.tif 000002
【特許請求の範囲】
【請求項１】
その両端が昇降路内頂部近傍に固定されるとともに、中間部が乗かごおよびつり合いおもりに設けられたプーリ、そして巻上げ機に巻き掛けられるエレベータロープの伸び調整装置において、
前記つり合いおもりプーリに巻き掛けられた後、昇降路内頂部近傍に固定されるロープ端部の固定位置に転向プーリを設けるとともに、前記ロープ端部を、この転向プーリに巻き掛けたあと昇降路下方に向けて垂下させた状態で垂直方向に調整可能に固定するロープ端固定部を設け、さらにこのロープ端固定部は、前記乗かごの走行を制御する制御盤の垂直方向投影面上に位置するよう配設したことを特徴とするエレベータロープの伸び調整装置。
【請求項２】
請求項１の記載において、前記ロープ端固定部は、前記ロープ端部に連結される調整ロッドと、前記転向プーリおよび昇降路頂部近傍に取付けられるとともに前記調整ロッドと螺合しこの調整ロッドを垂直方向に変位可能とするロッド固定部材とからなることを特徴とするエレベータロープの伸び調整装置。
【請求項３】
請求項１の記載において、前記ロープ端固定部は、前記ロープ端部に連結される調整ロッドと、前記つり合いおもりの走行をガイドするつり合いおもりガイドレールに取付けられるとともに前記調整ロッドと螺合しこの調整ロッドを垂直方向に変位可能とするロッド固定部材とからなることを特徴とするエレベータロープの伸び調整装置。
【発明の詳細な説明】
【０００１】
【発明の属する技術分野】
この発明は、昇降炉内を昇降する乗かごおよびつり合いおもりを吊り上げるエレベータロープの伸び調整装置に関する。
【０００２】
【従来の技術】
近年のエレベータは、建屋内における占有容積率の低くできる機械室の無い、機械室レスエレベータが設置される傾向にある。この機械室レスエレベータは、一般的に図５に示すように構成されている。
【０００３】
ここで、図５は一般的な機械室レスエレベータの全体構成を示す昇降路縦断面図である。
【０００４】
図に示すように、機械室レスエレベータのロープ３は、その両端に取付けられたシンブルロッド９ａ、９ｂおよびロッド１０ａ、１０ｂを介して、その両端が頂部ビーム１２に固定されている。
【０００５】
また、このロープ３の中間部は、図に示すように、乗かご４に設けられたかご下プーリ４ａ、４ｂ、前記頂部ビーム１２に設けられた転向プーリ６、巻上げ機２のトラクションシーブ２ａ、前記頂部ビーム１２に設けられた転向プーリ７、つり合いおもり５に設けられたつり合いおもりプーリ５ａとがそれぞれ巻き掛けられるようローピングされている。
【０００６】
ところで、上述のローピングのエレベータでは、ロッド１０ａ、１０ｂを、昇降路１頂部に向けて上方へ変位させれば、ロープ３の伸びに対する長さ補正が可能であるが、通常頂部ビーム１２から昇降路１頂部までは４００〜５００ｍｍしかなく、ロープ伸びに対する調整代を十分に確保できない不都合があった。
【０００７】
この不都合を解消するためには、前記ロッド１０ａ、１０ｂを昇降路下方に向けて変位させれば、その調整代を確保する点で有効である。この点について開示された従来技術としては、昇降路１頂部に取付けられるロープ端部を昇降路１下方に向けて取付けたものが提案されていた（例えば、特許文献１参照。）。
【０００８】
【特許文献１】
実開昭６０−９６３６３号公報
（第７頁１８行−第８頁４行、第５図）
【０００９】
【発明が解決しようとする課題】
しかし前記特許文献１に記載のエレベータは、機械室を有するものであるから、前記ロープ端部を固定するエリアは確保し易いものであったが、機械室レスエレベータでは、昇降路頂部近傍に多数の機器が配設されているため、ロープ端部固定エリアの確保は困難なものであった。
【００１０】
本発明は、上記のような問題点を鑑みてなされたもので、その目的は、機械室レスエレベータにおけるロープ伸びの調整を円滑に行うことを可能とするとともに容易に設置できるエレベータのロープ伸び調整装置を提供することにある。
【００１１】
【課題を解決するための手段】
本発明は上記目的を達成するために、その両端が昇降路内頂部近傍に固定されるとともに、中間部が乗かごおよびつり合いおもりに設けられたプーリ、そして巻上げ機に巻き掛けられるエレベータロープの伸び調整装置において、前記つり合いおもりプーリに巻き掛けられた後、昇降路内頂部近傍に固定されるロープ端部の固定位置に転向プーリを設けるとともに、前記ロープ端部を、この転向プーリに巻き掛けたあと昇降路下方に向けて垂下させた状態で垂直方向に調整可能に固定するロープ端固定部を設け、さらにこのロープ端固定部は、前記乗かごの走行を制御する制御盤の垂直方向投影面上に位置するよう配設したことを特徴とする。
【００１２】
本発明によれば、上記したようにロープ端固定部を構成し、昇降路下方に向けて位置調整可能としたため、昇降路頂部までの寸法の限られた機械室エレベータにおいても、その調整代を十分に確保できる。
【００１３】
さらに、前記ロープ端固定部は、通常配設物のない制御盤の垂直方向投影面上に位置するよう配設したため、他の昇降路内機器に干渉することなくその固定エリアを確保し容易に配設することができる。
【００１４】
【発明の実施の形態】
以下、本発明の一実施の形態であるエレベータロープの伸び調整装置を図１、図２を用いて説明する。
【００１５】
図１は本発明の一実施形態であるロープの伸び調整装置を設置したエレベータの昇降路縦断面図、図２は図１の要部拡大図である。尚、図において、従来の技術で説明したものと同一のものは、同一の符号で示している。
【００１６】
本実施形態において、従来の技術の構成と異なる点は、ロープ端固定部１００及びその近傍の構成にあり、その他はほぼ同一である。
【００１７】
図１に示すように、頂部ビーム１２には転向プーリ８が新たに設けられており、つり合いおもりプーリ５ａに巻き掛けられた後、昇降路１内頂部近傍へ配設されたロープ３は、前記転向プーリ８に巻き掛けられて方向転換し下方へ垂下している。
【００１８】
そして前記ロープ端固定部１００は、この垂下したロープ３端部に取付けられたシンブルロッド９ｂと、このシンブルロッド９ｂに取付けられその外周に雄ねじを備えた調整ロッド１０ｃと、この調整ロッド１０ｃを垂直方向に変位可能とするロッド固定部材１１とから構成されている。
【００１９】
そしてロッド固定部材１１は、その一端が前記転向プーリ８に他端が前記頂部プーリ１２に取付けられ前記調整ロッド１２が挿入される略Ｕ字状の固定ブラケット１１ａと、この固定ブラケット１１ａに当接するとともに前記調整ロッド１２が挿入されるバネ部材１１ｂと、前記調整ロッド１２の端部に螺合し、前記固定ブラケット１１ａとの間で前記バネ部材１１ｂを挟持するナット１１ｃとを備えて構成されている。
【００２０】
さらにこのロープ端固定部１００は、前記乗かご４の走行を制御する制御盤２０の垂直方向投影面上に位置するよう配設したことを特徴とする。
【００２１】
従って、本発明のロープの伸び調整によれば、前記調整ロッド１０ｃの長さを十分に取っておけば、前記ナット１１ｃを締め上げることにより、調整ロッド１０ｃを昇降路下方に向けて垂下させることが可能であり、十分にロープ伸びの調整代を確保することができる。
【００２２】
さらに、ロープ端固定部１００は、通常、昇降路内機器の配設されない制御盤２０の垂直方向投影面上に位置するよう配設したため、他の昇降路内機器に干渉することなく、その固定エリアを確保し容易に配設することができる。
【００２３】
次に、本発明の他の実施形態であるエレベータロープの伸び調整装置を図３、図４を用いて説明する。図３は本発明の他の実施形態であるロープの伸び調整装置の要部拡大図、図４は本発明の他の実施形態であるロープの伸び調整装置の設置状態を示す昇降路水平断面図である。
【００２４】
他の実施形態におけるロープ端固定部１００は、固定ブラケット１１１ａがつり合いおもり５の走行をガイドするガイドレール１６に取付けられる点で前実施形態と異なっている。このロッド固定部材１１１ａは、レールクリップ１８とボルト１７とナット１９によりガイドレール１６に固定されている。
【００２５】
また図４に示すように、ロープ端固定部１１１ａは、通常、昇降路内機器の配設されない制御盤２０の垂直方向投影面上に位置するよう配設したため、他の昇降路内機器に干渉することなく、その固定エリアを確保し容易に配設することができる。また、他の実施形態によれば、ガイドレール１６に固定する構成であるため、ロッド固定部材１１１ａを小形なものとすることができる。
【００２６】
【発明の効果】
本発明は、上記のようにエレベータのロープ伸び調整装置を構成したため、機械室レスエレベータにおいても、ロープ伸びの調整を円滑に行うことを可能とするとともにその設置を良好に行うことができる。
【図面の簡単な説明】
【図１】本発明の一実施形態であるロープの伸び調整装置を設置したエレベータの昇降路縦断面図である。
【図２】図２は図１の要部拡大図である。
【図３】本発明の他の実施形態であるロープの伸び調整装置の要部拡大図である。
【図４】本発明の他の実施形態であるロープの伸び調整装置の設置状態を示す昇降路水平断面図である。
【図５】一般的な機械室レスエレベータの全体構成を示す昇降路縦断面図である。
【符号の説明】
１  昇降路
２  巻上げ機
３  ロープ
４  乗かご
５  つり合いおもり
５ａ  つり合いおもりプーリ
８  転向プーリ
１０ｃ  調整ロッド
１１  ロッド固定部材
１２  頂部ビーム
１６  つり合いおもりガイドレール
２０  制御盤
１００  ロープ端固定部
【図１】
2004331264.tif 000003
【図２】
2004331264.tif 000004
【図３】
2004331264.tif 000005
【図４】
2004331264.tif 000006
【図５】
2004331264.tif 000007